(57)【要約】【課題】複数の記憶部が添付された画像形成媒体に対する画像の印刷及びデータの書き込みを行う際の利便性を向上する。【解決手段】用紙４０に添付された複数のＲＦＩＤタグ４０Ａのそれぞれに書き込む対象データを指定し、その指定に基づいてデータの書き込みを行う。これにより、複数のＲＦＩＤタグ４０Ａを有する用紙４０にデータの書き込みを行う際の利便性が向上する。【選択図】図４Ａ
2010152490.tif 000002
【特許請求の範囲】
【請求項１】
複数の記憶部が添付された画像形成媒体に画像を形成する形成手段と、
前記画像形成媒体が有する各記憶部に対して書き込む対象データを指定する指定手段と、
前記指定手段による指定に基づいて前記画像形成媒体の記憶部に対象データの書き込みを行う書込手段と、
を備える画像形成システム。
【請求項２】
請求項１に記載の画像形成システムにおいて、
前記指定手段は、１つの画像形成媒体が有する全ての記憶部に対して同一の対象データを書き込むように指定可能である。
【請求項３】
請求項１または請求項２に記載の画像形成システムにおいて、
前記形成手段は、１つの画像形成媒体に複数ページ分の画像を形成する集約印刷を実行可能であり、
前記指定手段は、前記集約印刷を行う際に、１つの画像形成媒体に形成される各ページの画像に関連する関連データと、前記関連データがいずれのページの画像に関連するかを示す関連ページ情報とを前記対象データとして指定可能である。
【請求項４】
請求項１から請求項３のいずれかに記載の画像形成システムにおいて、
前記形成手段は、１つの画像形成媒体に複数ページ分の画像を形成する集約印刷を実行可能であり、
前記指定手段は、前記集約印刷を行う際に、画像形成媒体上における各ページの画像形成エリアに属する記憶部に対し、当該ページの画像に関連する関連データを前記対象データとして指定する。
【請求項５】
請求項１から請求項４のいずれかに記載の画像形成システムにおいて、
前記指定手段は、元データを複数に分割し、分割されたデータをそれぞれ別の記憶部に対する前記対象データとして指定可能である。
【請求項６】
請求項５に記載の画像形成システムにおいて、
ユーザが画像形成媒体に添付された複数の記憶部の順位を入力可能な入力手段を備え、
前記指定手段は、前記分割されたデータを、前記入力手段により入力された順位に従った順序で前記記憶部に対する前記対象データとして指定可能である。
【請求項７】
複数の記憶部が添付された画像形成媒体に画像を形成する形成手段と、
前記画像形成媒体が有する各記憶部に対して書き込む対象データを指定する指定手段と、
前記指定手段による指定に基づいて前記画像形成媒体の記憶部に対象データの書き込みを行う書込手段と、
を備える画像形成装置。
【請求項８】
複数の記憶部が添付された画像形成媒体に対する画像の形成と前記各記憶部へのデータの書き込みとが可能な画像形成装置に接続された情報処理装置において実行されるプリンタドライバであって、
前記画像形成装置に対して前記画像形成媒体が有する各記憶部に書き込む対象データを指定する指定処理を前記情報処理装置に実行させるプリンタドライバ。
【発明の詳細な説明】
【技術分野】
【０００１】
本発明は、画像形成システム、画像形成装置及びプリンタドライバに関し、特に画像形成媒体に添付された記憶部に対する書き込みが可能な画像形成システム、画像形成装置及びプリンタドライバに関する。
【背景技術】
【０００２】
近年、ＲＦＩＤ（Radio Frequency IDentification）タグと呼ばれるＩＣチップ（記憶部）付きの用紙（画像形成媒体）に対し、画像の印刷を行うとともに、ＲＦＩＤタグに対するデータの書き込みを行う機能を備えた画像形成装置が開発されている。また、１枚のＲＦＩＤタグ付き用紙に対し、複数ページ分の画像を印刷する集約印刷（Ｎｉｎ１印刷）を行い、さらにその用紙のＲＦＩＤタグに印刷した各ページの画像データを書き込み、後にＲＦＩＤタグから読み出したデータに基づいて各ページの画像を印刷できるようにする技術などが知られている（特許文献１参照）。
【特許文献１】特開２００４−１４２４２０公報
【発明の開示】
【発明が解決しようとする課題】
【０００３】
しかしながら、従来の技術では、複数のＲＦＩＤタグが添付された用紙に対する動作については考慮されておらず、利便性の向上が望まれていた。
【０００４】
本発明は上記のような事情に基づいて完成されたものであって、複数の記憶部が添付された画像形成媒体に対する画像の印刷及びデータの書き込みを行う際の利便性を向上することが可能な画像形成装置を提供することを目的とする。
【課題を解決するための手段】
【０００５】
上記の目的を達成するための手段として、第１の発明に係る画像形成システムは、複数の記憶部が添付された画像形成媒体に画像を形成する形成手段と、前記画像形成媒体が有する各記憶部に対して書き込む対象データを指定する指定手段と、前記指定手段による指定に基づいて前記画像形成媒体の記憶部に対象データの書き込みを行う書込手段と、を備える。
【０００６】
第１の発明によれば、画像形成媒体に添付された複数の記憶部のそれぞれに書き込む対象データを指定し、その指定に基づいてデータの書き込みを行う。これにより、複数の記憶部を有する画像形成媒体にデータの書き込みを行う際の利便性が向上する。
【０００７】
第２の発明は、第１の発明において、前記指定手段は、１つの画像形成媒体が有する全ての記憶部に対して同一の対象データを書き込むように指定可能である。
【０００８】
第２の発明によれば、１つの画像形成媒体が有する全ての記憶部に対して同一の対象データを書き込むことができる。これにより、記憶部からデータを読み出す際にいずれの記憶部の読み出しを行っても同一の対象データを得ることができる。
【０００９】
第３の発明は、第１または第２の発明において、前記形成手段は、１つの画像形成媒体に複数ページ分の画像を形成する集約印刷を実行可能であり、前記指定手段は、前記集約印刷を行う際に、１つの画像形成媒体に形成される各ページの画像に関連する関連データと、前記関連データがいずれのページの画像に関連するかを示す関連ページ情報とを前記対象データとして指定可能である。
【００１０】
第３の発明によれば、集約印刷を行う際には、各ページの画像に関連する関連データとその関連データがいずれのページの画像に関連するかを示す関連ページ情報とを記憶部に書き込む。これにより、各記憶部に記憶されたデータを読み出したときにそのデータがどのページの画像に対応するデータであるかを把握することができる。
【００１１】
第４の発明は、第１から第３のいずれかの発明において、前記形成手段は、１つの画像形成媒体に複数ページ分の画像を形成する集約印刷を実行可能であり、前記指定手段は、前記集約印刷を行う際に、画像形成媒体上における各ページの画像形成エリアに属する記憶部に対し、当該ページの画像に関連する関連データを前記対象データとして指定する。
【００１２】
第４の発明によれば、集約印刷の際に、各ページの画像形成エリアに属する記憶部に対し、そのページに対応する対応データを書き込む。これにより、どの記憶部にどのページに対応するデータが書き込まれているかを容易に把握することができる。
【００１３】
第５の発明は、第１から第４のいずれかの発明において、前記指定手段は、元データを複数に分割し、分割されたデータをそれぞれ別の記憶部に対する前記対象データとして指定可能である。
【００１４】
第５の発明によれば、元データを複数の記憶部に分割して書き込むことができる。これにより、１つ１つの記憶部の容量を抑えながら、データ量の大きなデータを書き込むことができる。
【００１５】
第６の発明は、第５の発明において、ユーザが画像形成媒体に添付された複数の記憶部の順位を入力可能な入力手段を備え、前記指定手段は、前記分割されたデータを、前記入力手段により入力された順位に従った順序で前記記憶部に対する前記対象データとして指定可能である。
【００１６】
第６の発明によれば、元データをユーザが入力した順位に従った順序で各記憶部に分割して書き込むことができる。これにより、データを複数の記憶部に分割して書き込む際の利便性が向上する。
【００１７】
第７の発明に係る画像形成装置は、複数の記憶部が添付された画像形成媒体に画像を形成する形成手段と、前記画像形成媒体が有する各記憶部に対して書き込む対象データを指定する指定手段と、前記指定手段による指定に基づいて前記画像形成媒体の記憶部に対象データの書き込みを行う書込手段と、を備える。
【００１８】
第８の発明に係るプリンタドライバは、複数の記憶部が添付された画像形成媒体に対する画像の形成と前記各記憶部へのデータの書き込みとが可能な画像形成装置に接続された情報処理装置において実行されるプリンタドライバであって、前記画像形成装置に対して前記画像形成媒体が有する各記憶部に書き込む対象データを指定する指定処理を前記情報処理装置に実行させる。
【００１９】
第７及び第８の発明によれば、画像形成媒体に添付された複数の記憶部のそれぞれに書き込む対象データを指定し、その指定に基づいてデータの書き込みを行う。これにより、複数の記憶部を有する画像形成媒体にデータの書き込みを行う際の利便性が向上する。
【発明の効果】
【００２０】
本発明によれば、画像形成媒体に添付された複数の記憶部のそれぞれに書き込む対象データを指定し、その指定に基づいてデータの書き込みを行う。これにより、複数の記憶部を有する画像形成媒体にデータの書き込みを行う際の利便性が向上する。
【発明を実施するための最良の形態】
【００２１】
＜実施形態１＞
次に本発明の実施形態１について図１から図８Ｃを参照して説明する。
（画像形成システムの全体構成）
図１は、画像形成システムの概略構成を示すブロック図である。
本画像形成システムは、コンピュータ１０と、このコンピュータ１０にネットワークを介して接続されたプリンタ３０（画像形成装置の一例）とを備えている。
【００２２】
図１に示すように、コンピュータ１０は、ＣＰＵ１１（指定手段の一例）、ＲＯＭ１２、ＲＡＭ１３、ハードディスクドライブ１４、キーボードやポインティングデバイス等を有する操作部１５（入力手段の一例）、液晶ディスプレイ等を有する表示部１６、通信回線２０に接続されるネットワークインターフェイス１７等を備えている。ハードディスクドライブ１４には、ＯＳ（Ｏｐｅｒａｔｉｎｇ  Ｓｙｓｔｅｍ）や、印刷用の画像データ及び後述のＲＦＩＤデータを作成可能なアプリケーションソフト、プリンタ３０を制御するためのプリンタドライバなどの各種プログラムが記憶されている。
【００２３】
プリンタ３０は、ＣＰＵ３１、ＲＯＭ３２、ＲＡＭ３３、ＮＶＲＡＭ（不揮発性メモリ）３４、操作部３５、表示部３６、画像形成部３７、ＲＦＩＤライタ３８、ネットワークインターフェイス３９等を備えている。ＲＯＭ３２には、プリンタ３０の動作を制御するための各種プログラムが記録されており、ＣＰＵ３１は、ＲＯＭ３２から読み出したプログラムに従って、その処理結果をＲＡＭ３３やＮＶＲＡＭ３４に記憶させながら、プリンタ３０の動作を制御する。
【００２４】
操作部３５は、複数のボタンを備え、ユーザによって各種の入力操作が可能である。表示部３６は、ディスプレイやランプ等を備えており、各種の設定画面や動作状態等を表示することが可能である。画像形成部３７（形成手段の一例）は、１色若しくは複数色の着色剤（インクやトナー）を用いて用紙４０（画像形成媒体の一例）上に画像を形成する。なお、用紙４０としては、図４Ｃに示すように、複数のＲＦＩＤタグ４０Ａ（記憶部の一例）が添付されたものを使用することができる。ＲＦＩＤライタ３８は、用紙４０に添付された各ＲＦＩＤタグ４０Ａと電波により通信を行うことで、データの書き込みを行う。ネットワークインターフェイス３９は、通信回線２０を介して外部のコンピュータ１０等に接続されており、これにより相互のデータ通信が可能となっている。
【００２５】
（印刷指令処理）
図２は、コンピュータ１０において実行される印刷指令処理の流れを示すフローチャートであり、図３は、印刷指令処理により作成される印刷書込指示データの内容を示す図である。
【００２６】
ユーザがコンピュータ１０において、画像データ及びＲＦＩＤデータを作成可能なアプリケーションソフトを起動させ、操作部１５から印刷設定の指示を入力すると、ＣＰＵ１１は、プリンタドライバを起動し、プリンタドライバの機能により表示部１６に印刷設定画面（図示せず）を表示する（Ｓ１０１）。この印刷設定画面では、ユーザが操作部１５を用いて、例えば、片面／両面印刷、集約印刷、カラーなど、画像の印刷に関する各種設定項目の設定値を入力することができる。ＣＰＵ１１は、ユーザにより設定を確定する操作がなされると、各設定項目の設定値をＲＡＭ１３に保存する。
【００２７】
続いて、ＣＰＵ１１は、ＲＦＩＤデータの書き込みに関する設定を行うための書込設定画面Ｍ１（図４Ａ参照）を表示部１６に表示する（Ｓ１０２）。この書込設定画面Ｍ１は、ＲＦＩＤタグ位置指定部５０、分割書込指定部５１、書込単位指定部５２、ＲＦＩＤタグ位置表示部５３、印刷設定表示部５４、ＯＫボタン５５を備えている。
【００２８】
ＲＦＩＤタグ位置指定部５０では、ユーザがデータの書き込みを行うＲＦＩＤタグ４０Ａの用紙４０上における位置を１つから４つまで指定することができる。ＲＦＩＤタグ位置指定部５０は、４つのリストボックス５０Ａを有し、ユーザは操作部１５からの操作により各リストボックス５０Ａにおいて「左上」、「左下」、「右上」、「右下」の４種の位置と、「−（指定無し）」をリスト表示させ、そのうちのいずれか一つを選択することができる。なお、これらのリストボックス５０Ａには、１〜４の順位が定められており、後述する分割書き込みを行う際などにこの順位が用いられる。
【００２９】
分割書込指定部５１では、分割書き込みを行うか行わないかを指定することができる。分割書き込みでは、後述するように、１つの元データを複数のＲＦＩＤタグ４０Ａに分割して書き込む。
【００３０】
書込単位指定部５２では、１つのＲＦＩＤタグ４０Ａに書き込まれるデータの単位を指定することができる。ここでは、例えば、「全部」、「用紙単位」、「ページ単位」のいずれか一つを選択することができる。なお、分割書込指定部５１において、「あり」が指定されているときには、「−（指定無し）」となる。
【００３１】
ＲＦＩＤタグ位置表示部５３には、ＲＦＩＤタグ位置指定部５０で指定されているＲＦＩＤタグの位置を示す画像が表示され、ユーザは、この画像によりＲＦＩＤタグ位置指定部５０で指定したＲＦＩＤタグの位置を確認することができる。
印刷設定表示部５４には、前述の印刷設定画面で設定された画像の印刷に関する設定値が表示される。
【００３２】
ユーザがＯＫボタン５５をクリックすることで、上記各指定部５０，５１，５２において指定された内容がデータの書き込みに関する設定値として確定され、ＣＰＵ１１は、各設定値をＲＡＭ１３に保存する。
【００３３】
続いて、ＣＰＵ１１は、前述のアプリケーションソフトから画像データ及びＲＦＩＤデータをプリンタドライバに引き渡し、プリンタドライバの機能により、それらのデータをＰＤＬ（Page Description Language）等のプリンタ言語に変換した印刷書込指示データを生成する（Ｓ１０３）。
【００３４】
この印刷書込指示データは、図３に示すように、画像データ、ＲＦＩＤデータ、及び印刷書込指示を含んでいる。この印刷書込指示は、印刷に関する設定値に従ってプリンタ３０に画像データの印刷を実行させるための指示と、ＲＦＩＤタグへのＲＦＩＤデータの書き込みを実行させるための指示とを含んでいる。より詳細には、ここでＣＰＵ１１は、書き込みに関する各設定値に基づいて、用紙４０の各ＲＦＩＤタグ４０Ａに書き込むデータ（対象データ）を決定し、プリンタ３０に対して各ＲＦＩＤタグ４０Ａに書き込むデータを指定するＲＦＩＤ書込指定情報を含んだ印刷書込指示を作成する（指定処理）。
【００３５】
そして、ＣＰＵ１１は、上記印刷書込指示データをネットワークインターフェイス１７を介してプリンタ３０に送信する（Ｓ１０４）。プリンタ３０のＣＰＵ３１は、コンピュータ１０から印刷書込指示データを受け取ると、印刷書込指示データに含まれる画像データを画像形成部３７を制御するための印刷データに変換するなどの処理を行い、その印刷データに基づいて画像形成部３７により用紙４０に画像の印刷を行う。さらに、ＣＰＵ３１は、印刷書込指示データに含まれるＲＦＩＤ書込指定情報に従って、ＲＦＩＤライタ３８により用紙４０に添付された複数のＲＦＩＤタグ４０Ａに指定されたＲＦＩＤデータの書き込みを行う。
【００３６】
（具体例）
以下、各設定値及び元データの内容と、その結果作成される印刷物との関係について例を挙げて説明する。図４Ａは、書込設定画面Ｍ１において設定例１の設定内容が入力された状態を示す図、図４Ｂは、設定例１の元データである画像データ及びＲＦＩＤデータの内容を示す図であり、図４Ｃは、設定例１で印刷を実行した結果作成される印刷物を示す図である。同様に、図５Ａ〜図５Ｃ、図６Ａ〜図６Ｃ、図７Ａ〜図７Ｃ、図８Ａ〜図８Ｃは、それぞれ設定例２，３，４，５の設定内容が入力された状態を示す図、元データの内容を示す図、作成される印刷物を示す図である。
【００３７】
［設定例１］
本例では、図４Ａに示すように、ＲＦＩＤタグ位置指定部５０において、書き込みを行うＲＦＩＤタグ４０Ａの位置が１．「左上」、２．「右下」の２カ所が指定され、分割書込指定部５１において分割書き込みが「なし」、書込単位指定部５２において、書き込み単位として「全部」が指定されている。また、印刷設定では、片面、標準印刷（用紙の１面に１ページ分の画像を印刷する）が設定されている。
【００３８】
また本例では、図４Ｂに示すように、プリンタドライバがアプリケーションソフトから、印刷及び書き込みを行うための元データとして、複数ページ分の画像データ（「１」，「２」，「３」，「４」）と１つのＲＦＩＤデータ（例えば、「ｒｒｒ」というテキストデータ、以下同様）とを受け取る。
ＣＰＵ１１は、図４Ａの設定で、図４Ｂの元データを受け取った場合、書き込み単位として「全部」が設定されていることから、全てのＲＦＩＤタグ４０Ａに対し全てのＲＦＩＤデータ（「ｒｒｒ」）の書き込みを指定する。その結果、図４Ｃに示すように、各用紙４０には、１枚につき１ページ分の画像（「１」，「２」，「３」，「４」）が印刷され、各ＲＦＩＤタグ４０Ａには、全て同じＲＦＩＤデータ（「ｒｒｒ」）が書き込まれる。
【００３９】
このように、全てのＲＦＩＤタグに全部のＲＦＩＤデータが書き込まれることで、印刷物のＲＦＩＤタグ４０Ａからデータを読み出す際に、いずれのＲＦＩＤタグ４０Ａの読み出しを行っても全てのＲＦＩＤデータを得ることができる。
なお、上記設定において、アプリケーションソフトから受け取った元データが複数のＲＦＩＤデータを有する場合には、それら全てのＲＦＩＤデータを各ＲＦＩＤタグに書き込む。
【００４０】
［設定例２］
本例では、図５Ａに示すように、ＲＦＩＤタグ４０Ａの位置として、１．「左上」、２．「左下」の２カ所が指定され、分割書き込み「なし」、書込単位として「用紙単位」が指定されている。また、印刷設定では、片面、２ｉｎ１印刷（用紙の１面に２ページ分の画像を印刷する）が設定されている。プリンタドライバがアプリケーションソフトから受け取る元データは、図５Ｂに示すように、複数ページ分の画像データ（「Ｅ」，「Ｆ」，「Ｇ」，「Ｈ」）と各ページに関連する複数のＲＦＩＤデータ（例えば、「ｅｅｅ」，「ｆｆｆ」，「ｇｇｇ」，「ｈｈｈ」というテキストデータ）である。
【００４１】
ＣＰＵ１１は、図５Ａの設定で、図５Ｂの元データを受け取った場合、書き込み単位として「用紙単位」が設定されていることから、各ＲＦＩＤタグ４０Ａに対し、そのＲＦＩＤタグ４０Ａが設けられた用紙４０に印刷される全てのページに関連するＲＦＩＤデータの書き込みを指定する。また、このとき、ＲＦＩＤタグ４０Ａに書き込まれるデータがいずれのページの画像に関連するかを示す関連ページ情報を付加する。即ち、図５Ｃに示すように、一枚目の用紙４０には、始めの２つのページの画像（「Ｅ」，「Ｆ」）が印刷され、この用紙４０の各ＲＦＩＤタグ４０Ａにはその用紙４０に印刷される各ページの画像に関連するＲＦＩＤデータ（「ｅｅｅ」，「ｆｆｆ」）が書き込まれるとともに、各ＲＦＩＤデータがいずれのページの画像に関連するかの情報（「左ページ」，「右ページ」）が付加される。
【００４２】
このように、集約印刷を行う際に、各ＲＦＩＤタグ４０Ａに書き込まれたデータがいずれのページに関連するかを示す関連ページ情報を書き込むことで、各ＲＦＩＤタグ４０Ａからデータを読み出したときにそのデータがどのページの画像に対応するデータであるかを把握することができる。
【００４３】
［設定例３］
本例では、図６Ａに示すように、ＲＦＩＤタグ４０Ａの位置として、１．「左上」、２．「左下」の２カ所が指定され、分割書き込み「なし」、書き込み単位として「ページ単位」が指定されている。また、印刷設定では、片面、２ｉｎ１印刷（用紙の１面に２ページ分の画像を印刷する）が設定されている。プリンタドライバがアプリケーションソフトから受け取る元データは、図６Ｂに示すように、複数ページ分の画像データ（「Ａ」，「Ｂ」，「Ｃ」，「Ｄ」）と各ページに関連する複数のＲＦＩＤデータ（例えば、「ａａａ」，「ｂｂｂ」，「ｃｃｃ」，「ｄｄｄ」というテキストデータ）である。
【００４４】
ここで、本例では、ＲＦＩＤタグ４０Ａが用紙４０上における各ページの画像形成エリアに属する位置に１ずつ配置されている（ＲＦＩＤタグ位置指定部５０において指定されている）。なお、画像形成エリアは、例えば集約印刷の設定が「２ｉｎ１」であれば、用紙４０面の上半分と下半分の２つになり、「４ｉｎ１」であれば、用紙４０面の左上、左下、右上、右下の４つになる。また、画像形成エリアに属するＲＦＩＤタグは、画像が重ねて形成される範囲内に配置されていても良く、その周囲の余白部分に配置されていても良い。
【００４５】
ＣＰＵ１１は、本例のように、各ページの画像形成エリアに属するＲＦＩＤタグ４０Ａが１つ以上設けられている場合には、各ＲＦＩＤタグ４０Ａにそのページに関連するＲＦＩＤデータの書き込みを指定する。即ち、図６Ｃに示すように、画像「Ａ」が形成されるページの画像形成エリアに属するＲＦＩＤタグ４０Ａには、画像「Ａ」のページに関連するＲＦＩＤデータ「ａａａ」が書き込まれ、画像「Ｂ」が形成されるページの画像形成エリアに属するＲＦＩＤタグ４０Ａには、そのページに関連するＲＦＩＤデータ「ｂｂｂ」が書き込まれる。
【００４６】
なお、一つの画像形成エリアに属するＲＦＩＤタグ４０Ａが複数ある場合には、それらの各ＲＦＩＤタグ４０Ａに同一のＲＦＩＤデータの書き込みが指定される。
このように、各ページの画像形成エリアに属するＲＦＩＤタグ４０Ａにそのページに関連するＲＦＩＤデータを書き込むことで、いずれのＲＦＩＤタグ４０Ａにいずれのページに関連するデータが書き込まれているかを容易に把握することができる。
【００４７】
［設定例４］
本例では、図７Ａに示すようにＲＦＩＤタグ４０Ａの位置が１．「左上」、２．「右上」と指定されている以外は、設定例３と同じ設定となっている。また、図７Ｂに示すように、元データの内容も設定例３と同一である。本例では、ＲＦＩＤタグ４０Ａが各ページの画像形成エリアに属するように配置されていない。この場合、ＣＰＵ１１は、各ＲＦＩＤタグ４０Ａに対して、ＲＦＩＤタグ位置指定部５０において指定された順位に従ってページ単位のＲＦＩＤデータの書き込みを指定する。また、このとき、ＲＦＩＤタグ４０Ａに書き込まれるデータがいずれのページの画像に関連するかを示す関連ページ情報を付加する。
【００４８】
即ち、図７Ｃに示すように、１枚目の用紙４０に２ページ分の画像（「Ａ」，「Ｂ」）を印刷するともに、順に左上のＲＦＩＤタグ４０Ａに画像「Ａ」のページに関連するＲＦＩＤデータ「ａａａ」が関連ページ情報とともに書き込まれ、右上のＲＦＩＤタグ４０Ａに画像「Ｂ」のページに関連するＲＦＩＤデータ「ｂｂｂ」が関連ページ情報とともに書き込まれる。これにより、各ＲＦＩＤタグ４０Ａに記憶されたデータを読み出したときにそのデータがどのページの画像に対応するデータであるかを把握することができる。
【００４９】
［設定例５］
本例では、図８Ａに示すように、書き込みを行うＲＦＩＤタグ４０Ａの位置として、１．「左上」、２．「左下」、３．「右下」、４．「右上」の４カ所が指定され、分割書き込み「あり」に設定されている。なお、書込単位指定部５２は、「−（指定無し）」となっている。また、印刷設定では、片面、標準印刷が設定されている。プリンタドライバがアプリケーションソフトから受け取る元データは、図８Ｂに示すように、１ページ分の画像データ（「Ｉ」）と１つのＲＦＩＤデータ（例えば、「ａｂｃｄｅｆｇｈ」というテキストデータ）である。
【００５０】
ＣＰＵ１１は、分割書き込みが「あり」に設定されていることから、元のＲＦＩＤデータを所定サイズに分割する。ここでは、元のＲＦＩＤデータ（「ａｂｃｄｅｆｇｈ」）を「ａｂｃ」「ｄｅｆ」「ｇｈ」の３つに分割する。そして、これらのデータの書き込み先をＲＦＩＤタグ位置指定部５０において指定された順位が高いＲＦＩＤタグ４０Ａから一つずつ順に割り振る。即ち、図８Ｃに示すように、左上のＲＦＩＤタグ４０Ａに「ａｂｃ」、左下のＲＦＩＤタグ４０Ａに「ｄｅｆ」、右下のＲＦＩＤタグ４０Ａに「ｇｈ」が書き込まれ、右上のＲＦＩＤタグ４０Ａにはデータが書き込まれない。
【００５１】
なお、元のＲＦＩＤデータを分割する際には、元のＲＦＩＤデータを書き込みを行うＲＦＩＤタグ４０Ａの数に合わせて等分しても良く、あるいは１つ１つのＲＦＩＤタグ４０Ａの容量に合わせて各分割データのサイズを決めても良い。これにより、１つ１つのＲＦＩＤタグ４０Ａの容量（使用量）を抑えつつ、全体として大きなサイズのデータを記憶させることができる。
【００５２】
（本実施形態の効果）
以上のように本実施形態によれば、用紙４０に添付された複数のＲＦＩＤタグ４０Ａのそれぞれに書き込む対象データを指定し、その指定に基づいてデータの書き込みを行う。これにより、複数のＲＦＩＤタグ４０Ａを有する用紙４０にデータの書き込みを行う際の利便性が向上する。
【００５３】
また、１つの用紙４０が有する全てのＲＦＩＤタグ４０Ａに対して同一の対象データを書き込むことができる（設定例１）。これにより、ＲＦＩＤタグ４０Ａからデータを読み出す際にいずれのＲＦＩＤタグ４０Ａの読み出しを行っても同一の対象データを得ることができる。
【００５４】
また、集約印刷を行う際には、各ページの画像に関連する関連データとその関連データがいずれのページの画像に関連するかを示す関連ページ情報とをＲＦＩＤタグに書き込む（設定例２，４）。これにより、各ＲＦＩＤタグ４０Ａに記憶されたデータを読み出したときにそのデータがどのページの画像に対応するデータであるかを把握することができる。
【００５５】
また、集約印刷の際に、各ページの画像形成エリアに属するＲＦＩＤタグ４０Ａに対し、そのページに関連する関連データを書き込む（設定例３）。これにより、どのＲＦＩＤタグ４０Ａにどのページに関連するデータが書き込まれているかを容易に把握することができる。
【００５６】
また、元データを複数のＲＦＩＤタグ４０Ａに分割して書き込むことができる（設定例５）。これにより、１つ１つのＲＦＩＤタグ４０Ａの容量を抑えながら、データ量の大きなデータを書き込むことができる。
【００５７】
また、元データをユーザが入力した順位に従った順序で各ＲＦＩＤタグ４０Ａに分割して書き込むことができる（設定例５）。これにより、データを複数のＲＦＩＤタグ４０Ａに分割して書き込む際の利便性が向上する。
【００５８】
＜実施形態２＞
次に本発明の実施形態２について図９から図１１を参照して説明する。
本実施形態では、本発明を複写機能を備えた単体の複写機６０に適用した例を示す。なお、以下の説明において、上記実施形態と同様の構成には同一の符号を付して説明を省略する。
【００５９】
（複写機の全体構成）
図９は、複写機６０の電気的構成を示すブロック図であり、図１０は、複写機６０の内部構成を示す概略断面図である。
複写機６０は、図９に示すように、図１のプリンタ３０の構成に加え、以下に述べる原稿読取部６３及びＲＦＩＤリーダ６４を備えている。
【００６０】
複写機６０は、図１０に示すように、ＡＤＦ６１（自動原稿供給装置）を備えている。ＡＤＦ６１は、複数の原稿６２をセット可能であり、セットされた原稿６２を一枚ずつ原稿読取部６３の読み取り位置及びＲＦＩＤリーダ６４のアクセス位置に送って排出する。なお、本複写機６０では、原稿としてＲＦＩＤタグ６２Ａ付きの原稿６２を用いることができる。原稿読取部６３は、送られた原稿６２を走査して光学的に読み取り、画像データを取得する。ＲＦＩＤリーダ６４は、原稿６２に添付されたＲＦＩＤタグ６２Ａと電波により通信を行うことで、ＲＦＩＤタグ６２Ａに記録されたデータを取得する。
【００６１】
また、複写機６０は、複数の用紙４０を積載可能な供給トレイ６６を備えている。なお本複写機６０では、用紙として複数のＲＦＩＤタグ４０Ａが添付された用紙４０を用いることができる。供給トレイ６６に積載された用紙４０は、１枚ずつ画像形成部３７による画像形成位置に搬送され、そこで画像が印刷される。用紙４０は、次いでＲＦＩＤライタ３８によるアクセス位置に供給され、そこで各ＲＦＩＤタグ４０Ａへの書き込みが行われ、最後に排出トレイ６８上に排出される。
【００６２】
（複製処理）
図１１は、複写機６０において実行される複製処理の流れを示すフローチャートである。
複製処理は、ユーザがＡＤＦ６１に１枚または複数枚のＲＦＩＤタグ６２Ａタグ付きの原稿６２をセットして、操作部３５から複製処理の実行指示を入力することにより開始される。
【００６３】
ＣＰＵ３１は、図１１に示す複製処理を開始すると、表示部３６に印刷及び書込に関する設定画面（図示せず）を表示する（Ｓ３０１）。ここでは、ユーザが操作部３５の操作により、印刷及び書き込みに関する、前述の実施形態とほぼ同様の設定項目について設定を行うことができる。そして、ユーザが設定内容を確定する指示を入力すると、ＣＰＵ３１は、ＡＤＦ６１にセットされた原稿６２の画像の読み取りと原稿６２に添付されたＲＦＩＤタグ６２ＡからのＲＦＩＤデータの取得とを行い、得られた画像データ及びＲＦＩＤデータをＲＡＭ３３に記憶する（Ｓ３０２）。
【００６４】
続いてＣＰＵ３１は、印刷に関する設定の内容に従い、画像形成部３７を制御するための印刷データを画像データに基づいて生成する（Ｓ３０３）。そして、ＣＰＵ１１は、書き込みに関する設定の内容に従って、各用紙４０のＲＦＩＤタグ４０Ａに書き込むデータ（対象データ）を指定する指定情報を生成する（Ｓ３０４）。
【００６５】
そして、ＣＰＵ１１は、供給トレイ６６から用紙４０を送り出しその用紙４０上に印刷データに基づいた画像を画像形成部３７により印刷し、さらに、用紙４０の各ＲＦＩＤタグ４０Ａに上記指定情報に基づいてＲＦＩＤデータを書き込み（Ｓ３０５）、複製処理を終了する。
【００６６】
以上の複製処理により、原稿６２から読み取った画像が印刷され、かつ原稿６２のＲＦＩＤタグ６２Ａから取得したデータがＲＦＩＤタグ４０Ａに書き込まれた状態の複製が作成される。
本実施形態においても、前述の実施形態と同様に、ユーザの書き込みに関する設定内容に従って、用紙４０に添付された複数のＲＦＩＤタグ４０Ａに書き込むデータが指定されるため、利便性が向上するなどの効果を得ることができる。
【００６７】
＜他の実施形態＞
本発明は上記記述及び図面によって説明した実施形態に限定されるものではなく、例えば次のような実施形態も本発明の技術的範囲に含まれる。
（１）上記実施形態１では、分割書き込みを行う際に、コンピュータ１０側でプリンタドライバにより各ＲＦＩＤタグ４０Ａに書き込むデータを指定するものを示したが、本発明によれば、プリンタ３０側のＣＰＵ３１（指定手段）により、一つのＲＦＩＤタグ４０ＡにＲＦＩＤデータの書き込みを行い、容量が足りなくなると、次のＲＦＩＤタグ４０Ａに書き込みを行うようにしても良い。
【００６８】
（２）上記実施形態１では、片面印刷を行う例のみを示したが、本発明によれば、両面印刷を行う際にも、各ＲＦＩＤタグに用紙の各面に印刷される画像に関連するデータや、その関連データがいずれのページの画像に関連するかを示す関連ページ情報を書き込むようにしても良い。
【００６９】
（３）指定された位置のＲＦＩＤタグ４０Ａに書き込みを行うには、例えば、プリンタ３０に１つまたは複数のＲＦＩＤライタ３８を設けて、送り出された用紙４０のＲＦＩＤタグ４０ＡがＲＦＩＤライタ３８のアクセス位置に到達したときに書き込みを行うようにしても良い。あるいは、用紙４０の各ＲＦＩＤタグ４０Ａに位置情報を記録しておき、書き込みを行う際に、その位置情報に基づいて指定されたＲＦＩＤタグ４０Ａを識別しても良い。
【００７０】
（４）上記実施形態１では、コンピュータにおいて実行されるアプリケーションソフトが画像データ及びＲＦＩＤデータを作成するものを示したが、本発明によれば、プリンタドライバがＲＦＩＤデータを作成しても良い。また、実施形態２では、原稿のＲＦＩＤタグから取得したデータを用紙のＲＦＩＤタグに書き込むものを示したが、複写機のＣＰＵ３１において実行されるプログラムにより作成したデータを書き込むようにしても良い。これらの場合、例えば、書き込みを実行する日時、装置名、ユーザ名や識別番号などの情報に基づいてＲＦＩＤデータを作成しても良く、また、これらの書き込み内容については、ユーザが設定できるようにしても良い。さらに、印刷する画像データをＲＦＩＤデータとして、用紙のＲＦＩＤタグに書き込み、後に用紙のＲＦＩＤタグから読み出したデータに基づいて画像を印刷できるようにしても良い。
【００７１】
（５）上記実施形態では、１枚の用紙に添付されるＲＦＩＤタグの数が４つまでのものを示したが、ＲＦＩＤタグの数は５つ以上としても良く、またＲＦＩＤタグの位置は適宜変更することができる。例えば、１枚の用紙に添付された多数のＲＦＩＤタグに書き込みを行った後、用紙を小片に分断したときに、各小片にＲＦＩＤタグが添付されているように構成しても良い。
【図面の簡単な説明】
【００７２】
【図１】本発明の実施形態１における画像形成システムの概略構成を示すブロック図
【図２】コンピュータにおいて実行される印刷指令処理の流れを示すフローチャート
【図３】印刷指令処理により作成される印刷書込指示データの内容を示す図
【図４Ａ】書込設定画面において設定例１の設定内容が入力された状態を示す図
【図４Ｂ】設定例１の元データの内容を示す図
【図４Ｃ】設定例１で印刷を実行した結果作成される印刷物を示す図
【図５Ａ】書込設定画面において設定例２の設定内容が入力された状態を示す図
【図５Ｂ】設定例２の元データの内容を示す図
【図５Ｃ】設定例２で印刷を実行した結果作成される印刷物を示す図
【図６Ａ】書込設定画面において設定例３の設定内容が入力された状態を示す図
【図６Ｂ】設定例３の元データの内容を示す図
【図６Ｃ】設定例３で印刷を実行した結果作成される印刷物を示す図
【図７Ａ】書込設定画面において設定例４の設定内容が入力された状態を示す図
【図７Ｂ】設定例４の元データの内容を示す図
【図７Ｃ】設定例４で印刷を実行した結果作成される印刷物を示す図
【図８Ａ】書込設定画面において設定例５の設定内容が入力された状態を示す図
【図８Ｂ】設定例５の元データの内容を示す図
【図８Ｃ】設定例５で印刷を実行した結果作成される印刷物を示す図
【図９】実施形態２における複写機の電気的構成を示すブロック図
【図１０】複写機の内部構成を示す概略断面図
【図１１】複写機において実行される複製処理の流れを示すフローチャート
【符号の説明】
【００７３】
１０…コンピュータ
１１…ＣＰＵ（指定手段）
１５…操作部（入力手段）
３０…プリンタ
３１…ＣＰＵ（指定手段）
３５…操作部（入力手段）
３７…画像形成部（形成手段）
３８…ＲＦＩＤライタ（書込手段）
４０…用紙（画像形成媒体）
４０Ａ…ＲＦＩＤタグ（記憶部）
６０…複写機（画像形成装置）
【図１】
2010152490.tif 000003
【図２】
2010152490.tif 000004
【図３】
2010152490.tif 000005
【図４Ａ】
2010152490.tif 000006
【図４Ｂ】
2010152490.tif 000007
【図４Ｃ】
2010152490.tif 000008
【図５Ａ】
2010152490.tif 000009
【図５Ｂ】
2010152490.tif 000010
【図５Ｃ】
2010152490.tif 000011
【図６Ａ】
2010152490.tif 000012
【図６Ｂ】
2010152490.tif 000013
【図６Ｃ】
2010152490.tif 000014
【図７Ａ】
2010152490.tif 000015
【図７Ｂ】
2010152490.tif 000016
【図７Ｃ】
2010152490.tif 000017
【図８Ａ】
2010152490.tif 000018
【図８Ｂ】
2010152490.tif 000019
【図８Ｃ】
2010152490.tif 000020
【図９】
2010152490.tif 000021
【図１０】
2010152490.tif 000022
【図１１】
2010152490.tif 000023